(57)【要約】【課題】  簡単な構成で、異なる周波数帯域の複数の信号が混在した信号のうち、特定の周波数帯域の信号のレベルを調整可能とする。【解決手段】  地上デジタルテレビジョン放送信号の周波数帯域の信号を減衰させ、地上デジタルアナログテレビジョン放送信号を通過させる帯域除去フィルタ１４と並列に、ステップ型可変減衰器１６が接続されている。この可変減衰器１６の減衰量が、切換スイッチ１８ｂ、２０ｂの切換によって変化させられ、地上デジタルテレビジョン放送信号の信号レベルが調整される。【選択図】        図２
2007116239.tif 000002
【特許請求の範囲】
【請求項１】
所定の周波数帯域の信号を減衰させる第１のフィルタ手段と、
この第１のフィルタ手段と並列に接続され、少なくとも前記所定の周波数帯域の信号を減衰可能であって、その減衰量を変化させられる可変減衰手段とを、
具備するレベル可変式帯域除去フィルタ。
【請求項２】
請求項１記載のレベル可変式帯域除去フィルタにおいて、前記可変減衰手段は、その入力側または入力側と出力側とに、前記所定の周波数帯域の信号を通過させる第２のフィルタ手段を備えているレベル可変式帯域除去フィルタ。
【請求項３】
請求項１または２記載のレベル可変式帯域除去フィルタにおいて、前記所定の周波数帯域が、地上デジタルテレビジョン放送信号の周波数帯域であって、前記所定の周波数帯域の上下少なくとも一方の帯域が地上アナログテレビジョン放送信号の周波数帯域であるレベル可変式帯域除去フィルタ。
【請求項４】
請求項２または３記載のレベル可変式帯域除去フィルタにおいて、第１のフィルタ手段と前記可変減衰手段に、アンテナで受信された前記地上デジタルテレビジョン放送信号と前記地上アナログテレビジョン放送信号とが、入力され、第１のフィルタ手段と前記可変減衰手段の合成出力信号が、テレビジョン受像機若しくはブースタに供給されるレベル可変式帯域除去フィルタ。
【発明の詳細な説明】
【技術分野】
【０００１】
本発明は、帯域除去フィルタに関し、特に、それの除去帯域での減衰量を調整することができるものに関する。
【背景技術】
【０００２】
周波数帯域が異なる複数の信号が同時に伝送されることがある。例えば、近年、開始された地上デジタルテレビジョン放送信号と、既存の地上アナログテレビジョン放送信号とが、混在して、送信されている。アナログテレビジョン放送信号に悪影響を及ぼさないように、地上デジタルテレビジョン放送信号は現時点では低電力送信されている。しかし、順次地上デジタルテレビジョン放送信号の電力増強が行われる予定である。これら地上デジタルテレビジョン放送信号と地上アナログテレビジョン放送信号とは、両者が混在した状態で、テレビジョン受像機やブースタに供給される。従って、将来、テレビジョン受像機やブースタに供給されている地上デジタルテレビジョン放送信号のレベルが上昇する。そのためテレビジョン受像機やブースタにおいて歪が発生する可能性がある。よって、異なる周波数帯域を持つ複数の信号が混在する場合に、その特定の周波数帯域の信号のレベルを調整する必要が生じることがある。
【０００３】
このために、例えば特許文献１に開示されている技術がある。この技術では、受信された地上デジタルテレビジョン放送信号及び地上アナログテレビジョン放送信号が混在する信号を２つの系統に分け、一方の系統において、混在信号を中間周波信号に周波数変換し、この中間周波信号中から地上デジタルテレビジョン放送信号に対応するものをＳＡＷフィルタで抽出し、その後に、元の地上デジタルテレビジョン放送信号に再周波数変換し、更にレベル調整手段によって所望のレベルとなるようにレベル調整を行う。一方、他方の系統においても、同様に混在信号を中間周波信号に周波数変換し、この中間周波信号中から地上アナログテレビジョン放送信号に対応するものをＳＡＷフィルタで抽出し、その後に、元のアナログテレビジョン放送信号に再周波数変換し、更にレベル調整手段によって所望のレベルとなるようにレベル調整を行う。これらレベル調整された地上デジタル及びアナログテレビジョン放送信号を合成する。
【０００４】
【特許文献１】特開２００５−１９２１４２号公報
【発明の開示】
【発明が解決しようとする課題】
【０００５】
しかし、特許文献１に開示された技術では、１つの系統に２つの周波数変換手段と、ＳＡＷフィルタとレベル調整手段とが１つであり、これらが合計２系統分必要であり、構成が複雑となる。
【０００６】
本発明は、簡単な構成で、周波数帯域が異なる複数の信号が混在した信号のうち、特定の周波数帯域の信号のレベルを調整可能なレベル可変式帯域除去フィルタを提供することを目的とする。
【課題を解決するための手段】
【０００７】
本発明の一態様による帯域除去フィルタでは、所定の周波数帯域の信号を減衰させる第１のフィルタ手段が設けられている。このフィルタ手段としては、所定の周波数帯域の下限周波数付近を遮断周波数とするローパスフィルタ、所定の周波数帯域の上限周波数付近を遮断周波数とするハイパスフィルタまたはこれら両フィルタを使用することができる。或いは、所定の周波数帯域を除去する帯域除去フィルタを、第１のフィルタ手段として使用することもできる。第１のフィルタ手段と並列に可変減衰手段が接続されている。この可変減衰手段は、少なくとも前記所定の周波数帯域の信号を減衰可能であって、その減衰量を変化させられるものである。この可変減衰手段は、減衰量を段階的に変化させることができるものでも、連続的に変化させることができるものでもよい。この可変減衰手段は、手動によって減衰量を調整するものであってもよいし、制御信号によって減衰量を自動的に調整するものであってもよい。また、減衰可能な周波数帯域は、上記所定の周波数帯域の上側、下側または上下両側に広がっていてもよい。
【０００８】
このように構成すると、第１のフィルタ手段に供給された信号のうち上記周波数帯域の信号が減衰させられる。一方、可変減衰手段に供給された信号のうち少なくとも所定の周波数の帯域の信号は可変減衰手段によって減衰される。そして、フィルタ手段及び可変減衰手段の出力が合成されて出力されるので、その合成出力は、上記周波数帯域の信号が減衰されたものとなり、しかも、その減衰量が可変減衰手段の調整によって調整することができる。この構成は、第１のフィルタ手段と、可変減衰手段によって構成されており、その構成は簡単であり、低コストで実現できる。
【０００９】
可変減衰手段は、その入力側または入力側と出力側とに、前記所定の周波数帯域を通過させる第２のフィルタ手段を備えたものとすることができる。第２のフィルタ手段は、所定の周波数帯域を通過させるものであれば、ローパスフィルタ、ハイパスフィルタまたはバンドパスフィルタを使用することができる。
【００１０】
このように構成することによって、可変減衰手段では、所定の周波数帯域の信号のみに対して減衰量を可変することができる。
【００１１】
前記所定の周波数帯域を、地上デジタルテレビジョン放送信号の周波数帯域にすることができる。この場合、前記所定の周波数帯域の上下少なくとも一方の帯域が地上アナログテレビジョン放送信号の周波数帯域である。このように構成すると、地上デジタルテレビジョン放送信号のレベルを調整することができ、例えば地上デジタルテレビジョン放送信号の送信電力が増強された場合、可変減衰手段での減衰量を増加させることによって、地上デジタルテレビジョン放送信号の送信電力が増強される前のレベルに地上デジタルテレビジョン放送信号のレベルを調整することができる。
【００１２】
さらに、第１フィルタ手段と前記可変減衰手段に、アンテナで受信された前記地上デジタルテレビジョン放送信号と前記地上アナログテレビジョン放送信号とを、入力することができる。この場合、前記フィルタ手段と前記可変減衰手段の合成出力信号が、テレビジョン受像機若しくはブースタに供給される。このように構成すると、地上デジタルテレビジョン放送信号の送信電力が増強されても、テレビジョン受像機やブースタに供給される地上デジタルテレビジョン放送信号のレベルは、元のレベルを維持することが可能となり、テレビジョン受像機やブースタにおいて、歪が生じることを防止できる。
【発明の効果】
【００１３】
以上のように、本発明によれば、簡単な構成で、異なる周波数帯域を持つ複数の信号が混在している状態において、特定の周波数帯域の信号のレベルを調整することができる。特に、特定の周波数帯域の信号が、地上デジタル放送信号の場合、地上デジタルテレビジョン放送信号の送信出力が漸次増強されても、テレビジョン受像機やブースタにおいて歪を発生させることを防止できる。
【発明を実施するための最良の形態】
【００１４】
本発明の１実施形態のレベル可変式帯域除去フィルタ(ＢＥＦ)２は、例えば図１に示すように、テレビジョンアンテナ４によって受信された混在信号、例えば地上デジタルテレビジョン放送信号と地上アナログテレビジョン放送信号との混合信号が供給され、その混合信号の特定の周波数帯域の信号、例えば地上デジタルテレビジョン放送信号のレベルを調整して、テレビジョン受像機６またはその前段に設けられるブースタ８に供給するものである。なお、地上デジタルテレビジョン放送信号は、例えば１８ｃｈから２８ｃｈのＵＨＦ帯域の信号であり、地上アナログテレビジョン放送信号は、例えば１３ｃｈから１６ｃｈ、３０ｃｈから６２ｃｈのＵＨＦ帯域の信号である。地上デジタルテレビジョン放送信号が、地上アナログテレビジョン放送信号の間に位置している。
【００１５】
レベル可変式帯域除去フィルタ２は、図２に示すように、入力端子１０を有し、これには、アンテナ４で受信された地上デジタルテレビジョン放送信号と地上アナログテレビジョン放送信号との混合信号が供給されている。この入力端子１０は、分配手段、例えば２分配器１２に接続されており、上記混合信号を２分配する。
【００１６】
２分配器１２の一方の分配出力は、第１のフィルタ手段、例えば帯域除去フィルタ１４に供給される。この帯域除去フィルタ１４は、ローパスフィルタ１４ａとハイパスフィルタ１４ｂとを並列に接続したものである。ローパスフィルタ１４ａは、図３（ａ）に示すように、１３ｃｈから１６ｃｈの低域側地上アナログテレビジョン放送信号を通過させるように遮断周波数が選択されている。また、ハイパスフィルタ１４ｂは、同図（ａ）に示すように３０ｃｈから６２ｃｈの高域側地上アナログテレビジョン放送信号を通過させるように遮断周波数が選択されている。結果として、帯域除去フィルタ１４は、１８ｃｈから２８ｃｈの地上デジタルテレビジョン放送信号を除去する周波数特性を持っている。なお、図３（ａ）において、ローパスフィルタ１４ａ、ハイパスフィルタ１４ｂにおける通過帯域において約５ｄＢの損失が生じているのは、２分配器１２での分配損失による。
【００１７】
２分配器１２の他方の分配出力は、可変減衰手段、例えばステップ型可変減衰器１６に供給されている。このステップ型可変減衰器１６は、切換式減衰器１８、２０と固定減衰器２２とが直列に接続されたものである。これら切換式減衰器１８、２０と固定減衰器２２とは、少なくとも地上デジタルテレビジョン放送信号の周波数帯域において、この実施形態では地上デジタルテレビジョン放送信号の周波数帯域だけでなく、地上アナログテレビジョン放送信号の周波数帯域においても、入力された信号を減衰可能なものである。
【００１８】
切換式減衰器１８は、減衰量が５ｄＢの固定減衰器１８ａと切換スイッチ１８ｂとを組み合わせたもので、切換スイッチ１８ｂによって５ｄＢ減衰させた状態と、非減衰状態とに切換えられる。同様に、切換式減衰器２０は、減衰量が１０ｄＢの固定減衰器２０ａと切換スイッチ２０ｂとを組み合わせたもので、切換スイッチ２０ｂによって１０ｄＢ減衰させた状態と、非減衰状態とに切換えられる。固定式減衰器２２は、減衰量が１０ｄＢのものである。
【００１９】
従って、切換スイッチ１８ｂ、２０ｂを非減衰状態に切換えたとき、このステップ型可変減衰器１６の出力側での損失は、固定減衰器２２での減衰量１０ｄＢと２分配器１６での分配損失とによって、図３（ｂ）に符号ａで示すように、約１５ｄＢとなる。切換スイッチ１８ｂを５ｄＢの減衰状態に、切換スイッチ２０ｂを非減衰状態に切換えたとき、ステップ型可変減衰器１６の出力側での損失は、同図（ｂ）に符号ｂで示すように約２０ｄＢになる。切換スイッチ１８ｂを非減衰状態に、切換スイッチ２０ｂを１０ｄＢの減衰状態に切換えたとき、ステップ型可変減衰器１６の出力側での損失は、同図（ｂ）に符号ｃで示すように約２５ｄＢになる。切換スイッチ１８ｂを５ｄＢの減衰状態に、切換スイッチ２０ｂを１０ｄＢの減衰状態に切換えたとき、ステップ型可変減衰器１６の出力側での損失は、同図（ｂ）に符号ｄで示すように約３０ｄＢになる。
【００２０】
帯域除去フィルタ１４の出力とステップ型可変減衰器１６の出力とは合成されて、出力端子２４に供給され、ここからテレビジョン受像機６またはブースタ８に供給されている。即ち、帯域除去フィルタ１４とステップ型可変減衰器１６とは並列に接続されている。
【００２１】
このような構成であるので、このレベル可変式帯域除去フィルタ２の周波数特性は、図３（ｃ）に示すように、地上アナログテレビジョン放送信号の周波数帯域では、損失は変化しないが、地上デジタルテレビジョン放送信号の周波数帯域では、切換スイッチ１８ｂ、２０ｂの切換によって、複数段階、例えば符号ａ乃至ｄで示すように、損失が約１５ｄＢ、約２０ｄＢ、約２５ｄＢ、約３０ｄＢの４段階に切換えられる。
【００２２】
従って、図４（ａ）に示すように、現在、地上アナログテレビジョン放送信号Ａ１、Ａ２よりも地上デジタルテレビジョン放送信号Ｄのレベルが小さい状態では、切換スイッチ１８ｂ、２０ｂを非減衰状態に切換えておけば、テレビジョン受像機６やブースタ８での出力には歪は生じない。将来、地上デジタルテレビジョン放送信号の送信電力が増強され、同図（ｂ）に示すように地上デジタルテレビジョン放送信号Ｄのレベルが地上アナログテレビジョン放送信号Ａ１、Ａ２よりも大きくなったとき、そのまま放置しておくと、テレビジョン受像機６やブースタ８での出力に歪が生じる。そこで、切換スイッチ１８ｂ、２０ｂを適切に切換えて、同図（ｃ）に示すように、地上デジタルテレビジョン信号Ｄを減衰させることによって、地上アナログテレビジョン放送信号Ａ１、Ａ２よりも地上デジタルテレビジョン放送信号Ｄのレベルが小さい状態とし、テレビジョン受像機６やブースタ８の出力に歪が生じることを防止できる。特に、ステップ式に減衰量を増加させることができるので、ステップ式に地上デジタルテレビジョン放送信号の送信電力が増強されても、その増強に応じて減衰量を増加させることができ、確実にテレビジョン受像機６やブースタ８の出力に歪が生じることを防止できる。
【００２３】
上記の実施の形態では、ステップ型可変減衰器１６は、地上アナログテレビジョン放送信号及び地上デジタルテレビジョン放送信号の全帯域において信号を減衰させるものを示したが、例えば、図５に示すようなステップ型可変減衰器１６ａを使用することもできる。このステップ型可変減衰器１６ａは、上記の実施形態において、切換スイッチ１８ｂの前段、切換スイッチ２０ｂの後段に、図６（ｂ）の周波数特性図に示すように地上デジタルテレビジョン放送信号を抽出するバンドパスフィルタ２６、２８を設けたものである。この構成では、上記の実施形態の固定減衰器２２を除去してあるが、固定減衰器２２を設けることもできる。切換スイッチ１８ｂ、２０ｂを切換えることによって、同図（ｂ）に示すようにステップ型可変減衰器１６ａは、地上デジタルテレビジョン放送信号の周波数帯域において減衰量をａ乃至ｄの４段階に変更することができる。同図（ａ）の周波数特性図に示すように帯域除去フィルタ１４は、地上デジタルテレビジョン放送信号を大きく減衰させるので、帯域除去フィルタ１４とステップ型可変減衰器１６ａとの合成周波数特性は、同図（ｃ）に示すようになり、地上アナログテレビジョン放送信号は、ほとんど減衰せずに、地上デジタルテレビジョン放送信号は、４段階のいずれかの減衰量で減衰される。従って、上記の実施形態と同様に使用することができる。
【００２４】
上記の実施形態では、ステップ型可変減衰器１６を使用したが、これに限ったものではなく、連続的に減衰量を可変させることができる可変減衰器を使用することもできる。また、上記の実施の形態では、手動で減衰量を変化させるように構成したが、これに限ったものではなく、例えばステップ型可変減衰器１６、１６ａに代えて制御信号に応じて減衰量が変化する可変減衰器を設け、出力端子２４に地上デジタルテレビジョン放送信号を抽出することができるバンドパスフィルタを設け、そのバンドパスフィルタの出力のレベルをレベル検出器で検出し、その検出レベルと基準レベル（地上デジタルテレビジョン放送信号のレベルがテレビジョン受像機６やブースタ８の出力に歪を生じさせないレベル）との差を誤差検出器によって検出し、その誤差信号に基づいて誤差がゼロとなるように可変減衰器の減衰量を自動制御するように構成することもできる。
【００２５】
上記の実施の形態では、帯域除去フィルタ１４をローパスフィルタ１４ａとハイパスフィルタ１４ｂとの組合せによって構成したが、これに限ったものではなく、例えば遮断周波数帯域が地上デジタルテレビジョン放送信号の周波数帯域である１台の帯域除去フィルタを使用することもできる。また、上記の実施の形態では、地上デジタルテレビジョン放送信号の周波数帯域が、地上アナログテレビジョン放送信号の周波数帯域の間に存在する例を示したが、受信エリアによっては、地上デジタルテレビジョン放送信号の周波数帯域の下側のみに地上アナログテレビジョン放送信号の周波数帯域が存在する場合や、逆に地上デジタルテレビジョン放送信号の周波数帯域の上側のみに地上アナログテレビジョン放送信号が存在する場合がある。先の例の場合には、帯域除去フィルタ１４に変えて、地上デジタルテレビジョン放送信号の下側の地上アナログテレビジョン放送信号のみを通過させ、地上デジタルテレビジョン放送信号を遮断するローパスフィルタのみを使用する。この場合、図５に示したバンドパスフィルタ２６、２８に代えて地上デジタルテレビジョン放送信号を通過させることが可能なハイパスフィルタを使用することもできる。後の例の場合には、帯域除去フィルタ１４に変えて、地上デジタルテレビジョン放送信号の上側の地上アナログテレビジョン放送信号を通過させ、地上デジタルテレビジョン放送信号を遮断するハイパスフィルタのみを使用することができる。この場合、図５に示したバンドパスフィルタ２６、２８に代えて地上デジタルテレビジョン放送信号を通過させることが可能なローパスフィルタを使用することもできる。
【００２６】
上記の実施の形態では、地上デジタルテレビジョン放送信号と地上アナログテレビジョン放送信号とを一例として示したが、これらに限ったものではなく、一方の周波数帯域の信号のレベルはそのままで、他方の周波数帯域の信号のレベルを減衰させる必要のある場合にも、本発明を実施することができる。
【図面の簡単な説明】
【００２７】
【図１】本発明の１実施形態のレベル可変式帯域除去フィルタの使用例を示すブロック図である。
【図２】図１のレベル可変式帯域除去フィルタのブロック図である。
【図３】図２のレベル可変式帯域除去フィルタの帯域除去フィルタ、ステップ型可変減衰器、図２のレベル可変式帯域除去フィルタの周波数特性図である。
【図４】図２のレベル可変式帯域除去フィルタの使用状態の説明図である。
【図５】図２のレベル可変式帯域除去フィルタの帯域除去フィルタの変形例を示すブロック図である。
【図６】図５のレベル可変式帯域除去フィルタの帯域除去フィルタ、ステップ型可変減衰器、図５のレベル可変式帯域除去フィルタの周波数特性図である。
【符号の説明】
【００２８】
１４  帯域除去フィルタ（フィルタ手段）
１６  ステップ型可変減衰器（可変減衰手段）
【図１】
2007116239.tif 000003
【図２】
2007116239.tif 000004
【図３】
2007116239.tif 000005
【図４】
2007116239.tif 000006
【図５】
2007116239.tif 000007
【図６】
2007116239.tif 000008